(57)【要約】      （修正有）【課題】ホコリが通気通路を経由してビンの内部に侵入することが回避可能であり、通気通路がホコリに塞がれることを回避可能な培養容器を提供する。【解決手段】収容空間１１が形成されており、その上端には、収容空間１１と連通するビン開口が設けられており、その外周面の上端に近接する箇所では、ビン開口を囲む外ねじ段１２が設けられているビン１０と、本体と、本体に形成されている環状凸縁２２と、を備え、本体と環状凸縁２２とから被り空間が構成され、環状凸縁２２の内周面には、ビンの外ねじ段１２に対応する内ねじ段２１が設けられており、内ねじ段２１と外ねじ段１２を螺合することにより、ビンのビン開口が封止され、両端に開口が設けられている通気通路２３を有し、開口のうちの一つが被り空間に向いており、開口のうちの残りは、環状凸縁２２の自由端に形成されており、本体の反対側に位置している蓋２０と、を含む。【選択図】図２
0003185096.tif 000002
【実用新案登録請求の範囲】
【請求項１】
収容空間が形成されており、その上端には、前記収容空間と連通するビン開口が設けられており、その外周面の上端に近接する箇所では、前記ビン開口を囲む外ねじ段が設けられているビンと、
本体と、前記本体に形成されている環状凸縁と、を備え、前記本体と前記環状凸縁とから被り空間が構成され、前記環状凸縁の内周面には、前記ビンの前記外ねじ段に対応する内ねじ段が設けられており、前記内ねじ段と前記外ねじ段を螺合することにより、前記ビンの前記ビン開口が封止され、両端に開口が設けられている通気通路を有し、前記開口のうちの一つが前記被り空間に向いており、前記開口のうちの残りは、前記環状凸縁の自由端に形成されており、前記本体の反対側に位置している蓋と、を含む培養容器において、
前記蓋の前記内ねじ段が前記ビンの前記外ねじ段と螺合しているときには、前記収容空間が前記通気通路を介して外部と連通することを特徴とする培養容器。
【請求項２】
前記環状凸縁は少なくとも一つの突起を有し、前記突起はより大きい厚さを有し、前記通気通路は前記突起に形成されていることを特徴とする、請求項１に記載の培養容器。
【請求項３】
二つの突起を有し、前記二つの突起は、前記環状凸縁の周方向に１８０度を置いて配設されており、前記各突起に通気通路がそれぞれ設けられていることを特徴とする、請求項２に記載の培養容器。
【請求項４】
前記蓋は透明なものであることを特徴とする、請求項１に記載の培養容器。
【考案の詳細な説明】
【技術分野】
【０００１】
本考案は、培養容器に関し、特に、通気通路を有する培養容器に関するものである。
【背景技術】
【０００２】
一般的に、植物の苗を栽培するときには、図５に示すように、容器９に培養ベースを置いて、前記培養ベースにより植物の苗を栽培する。容器９は、ビン９１と、ビン９１と螺合する蓋９２と、を含む。蓋９２の上面に通気穴９２１が設けられている。通気穴９２１に薄膜９２２が設けられている。薄膜９２２により、ホコリのビン９１への侵入を防止可能である。しかし、ホコリは上から下に落下するため、薄膜９２２によりホコリのビン９１への侵入を完全に防止することができない。このため、ホコリなどがビン９１に侵入して、植物の苗は、汚染され、変質し、又はカビが発生する。そして薄膜９２２にホコリが積み上げた場合には、薄膜９２２を交換することが必要であるため、コストを減少できない。
【先行技術文献】
【特許文献】
【０００３】
【特許文献１】なし
【考案の概要】
【考案が解決しようとする課題】
【０００４】
本考案の主な目的はホコリが通気通路を経由してビンの内部に侵入することが回避可能であり、通気通路がホコリに塞がれることを回避可能な培養容器を提供することにある。
【課題を解決するための手段】
【０００５】
本考案の培養容器によると、収容空間が形成されており、その上端には、収容空間と連通するビン開口が設けられており、その外周面の上端に近接する箇所では、ビン開口を囲む外ねじ段が設けられているビンと、
本体と、本体に形成されている環状凸縁と、を備え、本体と環状凸縁とから被り空間が構成され、環状凸縁の内周面には、ビンの外ねじ段に対応する内ねじ段が設けられており、内ねじ段と外ねじ段を螺合することにより、ビンのビン開口が封止され、両端に開口が設けられている通気通路を有し、開口のうちの一つが被り空間に向いており、開口のうちの残りは、環状凸縁の自由端に形成されており、本体の反対側に位置している蓋と、を含む培養容器において、
蓋の内ねじ段がビンの外ねじ段と螺合しているときには、収容空間が通気通路を介して外部と連通することを特徴とする。
【０００６】
本考案の培養容器によると、環状凸縁は少なくとも一つの突起を有し、突起はより大きい厚さを有し、通気通路は突起に形成されていることを特徴とする。
【０００７】
本考案の培養容器によると、二つの突起を有し、二つの突起は、環状凸縁の周方向に１８０度を置いて配設されており、各突起に通気通路がそれぞれ設けられていることを特徴とする。
【０００８】
本考案の培養容器によると、蓋は透明なものであることを特徴とする。
【考案の効果】
【０００９】
本考案の培養容器によれば、ホコリが通気通路を経由してビンの内部に侵入することが回避可能であり、通気通路がホコリに塞がれることを回避可能であるという効果を有する。
【図面の簡単な説明】
【００１０】
【図１】本考案の一実施例を示す分解斜視図である。
【図２】本考案の一実施例を示す断面図である。
【図３】本考案の一実施例の使用状態を示す模式図である。
【図４】本考案の別の実施例を示す分解斜視図である。
【図５】従来の培養容器を示す模式図である。
【考案を実施するための形態】
【００１１】
以下、本考案の実施の形態を図面に基づいて説明する。
【００１２】
図１乃至図４を参照する。図１は本考案の一実施例を示す分解斜視図であり、図２は本考案の一実施例を示す断面図であり、図３は本考案の一実施例の使用状態を示す模式図であり、図４は本考案の別の実施例を示す分解斜視図である。本考案の培養容器は、ビン１０と、蓋２０と、を含む。
【００１３】
ビン１０は、その内部に収容空間１１が形成されており、その上端には、収容空間１１と連通するビン開口が設けられている。ビン１０の外周面の上端に近接する箇所では、前記ビン開口を囲む外ねじ段１２が設けられている。蓋２０は、本体と、前記本体に形成されている環状凸縁２２と、を含む。前記本体と環状凸縁２２とから被り空間が構成される。環状凸縁２２の内周面には、ビン１０の外ねじ段１２に対応する内ねじ段２１が設けられている。内ねじ段２１と外ねじ段１２を螺合することにより、ビン１０の前記ビン開口が封止される。蓋２０は、その両端に開口が設けられている通気通路２３を有する。前記開口のうちの一つが前記被り空間に向いており、前記開口のうちの残りは、環状凸縁２２の自由端に形成されており、本体の反対側に位置している。蓋２０は透明なものであることが好ましい。蓋２０の内ねじ段２１がビン１０の外ねじ段１２と螺合しているときには、前記収容空間が通気通路２３を介して外部と連通する。
【００１４】
図１乃至図３に示すように、環状凸縁２２は少なくとも一つの突起２２１を有する。突起２２１はより大きい厚さを有する。突起２２１には、通気通路２３が形成されている。環状凸縁２２は、二つの突起２２１を有し、二つの突起２２１は、環状凸縁２２の周方向に１８０度を置いて配設されており、各突起２２１に通気通路２３がそれぞれ設けられていることが好ましい。このように、換気効率及び対流効果を増加することが可能である。しかし、図４に示すように、蓋２０´の環状凸縁２２´に前記突起が設けられておらず、環状凸縁２２´は、より厚い厚さを有し、その外径がビン１０の外径よりも大きいでもよい。このように、環状凸縁２２´に通気通路２３を直接に形成することが可能である。
【００１５】
本考案の培養容器により植物苗４を培養する場合には、図３に示すように、ビン１０の収容空間１１に培養ベース３を入れて、培養ベース３に植物苗４を植えて、ビン１０の外ねじ段１２に蓋２０の内ねじ段２１を螺合すると、通気通路２３が収容空間１１と連通するため、エアは、通気通路２３を経由して収容空間１１に進入して、植物苗４に提供され可能である。通気通路２３の外側の開口は、環状凸縁２２の自由端に設けられており、前記本体から遠ざかった側に位置しているため、エアに含有するホコリの収容空間１１への侵入を防止可能であり、従来のもののように薄膜を設けることが必要なくなり、コストを減少可能であり、薄膜がホコリに塞がれることを回避することも可能である。ビン１０は透明なものであり、蓋２０も透明なものであるため、ユーザは外部から収容空間１１の内部に位置する植物苗４の成長状況を観察可能であり、そして外部の光線は収容空間１１の内部に入射することも可能である。
【００１６】
最も重要なのは、本考案では、通気通路が二つ設けられており、換気効率及び対流効果が二倍となり、そして植物苗を培養する前に培養容器を徹底的に消毒することが可能であるため、植物苗の培養にとって極めて有利である。
【産業上の利用可能性】
【００１７】
本考案は、培養容器に適用することができる。
【符号の説明】
【００１８】
３：培養ベース
４：植物苗
９：容器
１０：ビン
１１：収容空間
１２：外ねじ段
２０、２０´：蓋
２１：内ねじ段
２２、２２´：環状凸縁
２３：通気通路
９１：ビン
９２：蓋
２２１：突起
９２１：通気穴
９２２：薄膜
【図１】
0003185096.tif 000003
【図２】
0003185096.tif 000004
【図３】
0003185096.tif 000005
【図４】
0003185096.tif 000006
【図５】
0003185096.tif 000007